(57)【特許請求の範囲】
【請求項１】
四隅の柱と、前記四隅の柱の上端部同士を連結する複数の天井梁と、前記四隅の柱の下端部同士を連結する複数の床梁と、を備えた略直方体フレーム状の建物ユニットを複数組み合わせて構成される建物本体の上に、屋根束等の複数の屋根支持部材を介して傾斜屋根が支持されてなる屋根の支持構造において、
前記建物本体を構成する最上階の建物ユニットにおける複数の天井梁のうち、任意の天井梁の上に小屋梁が設置されており、
前記小屋梁の上と、当該小屋梁が設置されていない前記複数の天井梁のうち任意の天井梁の上に、前記複数の屋根支持部材が設けられており、
前記小屋梁は、前記屋根支持部材の下端部を受けて、当該屋根支持部材の下端部が固定される被固定部を備えており、
前記被固定部は、前記小屋梁の端部と一体的に設けられており、
前記被固定部の壁部と底部とを構成し、前記小屋梁と直交する方向に設けられて前記小屋梁の端部と平面視略Ｌ字状となるように接合された短尺な梁状部と、
前記梁状部の端部に接合され、前記小屋梁に直交するフレーム材が連結されるエンドプレートと、を含んで構成されていることを特徴とする屋根の支持構造。
【請求項２】
請求項１に記載の屋根の支持構造において、
前記被固定部は、
前記小屋梁の端部における内側面に接合され、前記梁状部と共に前記被固定部の壁部と底部とを構成する壁状部を含んで構成されていることを特徴とする屋根の支持構造。
【請求項３】
請求項２に記載の屋根の支持構造において、
前記被固定部は、
前記梁状部の底部と前記壁状部の底部とに跨って配置されるとともに前記梁状部の底部と前記壁状部の底部とを接合する接合部と、
前記小屋梁の端部の縁と、前記梁状部の縁と、前記壁状部の縁と、前記エンドプレートの縁とによって形成された開口部と、を含んで構成されており、
前記接合部と前記壁状部の底部には、これらを貫通する貫通孔が形成されていることを特徴とする屋根の支持構造。
【請求項４】
請求項２又は３に記載の屋根の支持構造において、
前記被固定部は、
前記壁状部の側面に固定され、上面が、前記屋根支持部材の下端部を受ける受けアングルを含んで構成されていることを特徴とする屋根の支持構造。
【請求項５】
請求項１〜４のいずれか一項に記載の屋根の支持構造において、
前記傾斜屋根の小屋裏空間の周囲には外壁材が設けられており、
前記小屋裏空間の周囲に設けられる前記外壁材のうち、前記小屋裏空間下方の前記最上階の建物ユニットに対する荷重が大きい外壁材は、前記下方の最上階の建物ユニットにおける複数の天井梁のうち、前記荷重が大きい外壁材の下方に位置する天井梁の上に設置された前記小屋梁と、当該小屋梁の上に設けられた前記屋根支持部材によって保持されていることを特徴とする屋根の支持構造。
【請求項６】
請求項５に記載の屋根の支持構造において、
前記屋根は、片流れ屋根であり、
前記片流れ屋根の小屋裏空間の周囲に設けられる外壁材のうち、前記下方の最上階の建物ユニットに対する荷重が大きい外壁材は、前記片流れ屋根の傾斜方向の上端部側に配置されていることを特徴とする屋根の支持構造。
【発明の詳細な説明】
【技術分野】
【０００１】
本発明は、住宅等の建物における屋根の支持構造に関する。
【背景技術】
【０００２】
従来、四隅の柱と、複数の天井梁と、複数の床梁と、を備える略直方体フレーム状の建物ユニットを複数組み合わせて構成される建物本体の上部に、複数の屋根パネルによって構成される屋根を設置して住宅等の建物を構築する技術が知られている（例えば特許文献１参照）。
特許文献１に記載の技術においては、最上階の建物ユニットを構成する天井梁の上面に屋根束等が設置され、当該屋根束等の上に屋根パネルが設置されている。
【０００３】
また、屋根は、建物本体に対して、最上階の建物ユニットの天井枠（矩形枠状に配置された天井梁からなる）と対応する外形寸法に設定された矩形枠状の小屋パネルと、当該小屋パネルの上面に複数設置された屋根束等の屋根支持部材とを介して設けられる場合がある（例えば、特許文献２参照）。
【先行技術文献】
【特許文献】
【０００４】
【特許文献１】特開２００２−０８１１６２号公報
【特許文献２】特開平０８−０６０７４５号公報
【発明の概要】
【発明が解決しようとする課題】
【０００５】
ところで、屋根束等の屋根支持部材が設置される最上階の建物ユニットの天井梁には撓みが生じやすい場合がある。例えば建物ユニットは略直方体フレーム状に形成されているため、短辺方向よりも長辺方向に配置された梁の方が、撓みが生じやすい。また、最上階における居住空間拡張のために隣り合う複数の建物ユニットの隣り合う柱を省略し、その上方に位置する天井梁同士の集合部分に屋根支持部材が設置されると、当該屋根支持部材が設置された箇所に撓みが生じやすい。また、片流れ屋根等のような傾斜屋根において、屋根荷重だけでなく、外壁荷重も負担しなければならない場合は、外壁荷重がかかる部分の天井梁に撓みが生じやすい。
そこで、最上階の建物ユニットの天井梁に撓みが生じないようにするために、最上階の建物ユニットの上に、特許文献２に記載のような小屋パネルを設置することが考えられる。ところが、小屋パネルは、最上階の建物ユニットの天井枠と対応する外形寸法に設定されているため、撓みが生じにくい部分にまで設置されることになり、部材コストが嵩む場合があった。さらに、小屋パネルは、予め工場等で矩形枠状に形成されるため、輸送車両の荷台面積を大きく占有することになり、輸送コストも嵩む場合があった。
このため、最上階の建物ユニットの上方に、屋根束等の屋根支持部材によって屋根を支持する場合において、最上階の建物ユニットの天井梁のうち、撓みの生じやすい箇所を効果的に補強できる技術の開発が望まれていた。
【０００６】
本発明の課題は、最上階建物ユニットの天井梁のうち、撓みの生じやすい箇所を効果的に補強でき、建物の構築に係るコストを低減することが可能な屋根の支持構造を提供することを目的とする。
【課題を解決するための手段】
【０００７】
請求項１に記載の発明は、例えば図１〜図６に示すように、四隅の柱４と、前記四隅の柱４の上端部同士を連結する複数の天井梁５ａ，５ｂと、前記四隅の柱４の下端部同士を連結する複数の床梁と、を備えた略直方体フレーム状の建物ユニット３を複数組み合わせて構成される建物本体２の上に、屋根束６等の複数の屋根支持部材６，７を介して傾斜屋根１が支持されてなる屋根１の支持構造において、
前記建物本体２を構成する最上階の建物ユニット３における複数の天井梁５ａ，５ｂのうち、任意の天井梁５ａ（５ｂ）の上に小屋梁８が設置されており、
前記小屋梁８の上と、当該小屋梁８が設置されていない前記複数の天井梁５ａ，５ｂのうち任意の天井梁５ａ，５ｂの上に、前記複数の屋根支持部材６，７が設けられており、
前記小屋梁８は、前記屋根支持部材６，７の下端部を受けて、当該屋根支持部材６，７の下端部が固定される被固定部８１，８２，８３を備えており、
前記被固定部８１は、前記小屋梁８の端部と一体的に設けられており、
前記被固定部８１の壁部と底部とを構成し、前記小屋梁８と直交する方向に設けられて前記小屋梁８の端部と平面視略Ｌ字状となるように接合された短尺な梁状部８１ａと、
前記梁状部８１ａの端部に接合され、前記小屋梁８に直交するフレーム材１２が連結されるエンドプレート８１ｃと、を含んで構成されていることを特徴とする。
【０００８】
請求項１に記載の発明によれば、最上階の建物ユニット３における複数の天井梁５ａ，５ｂのうち、任意の天井梁５ａ（５ｂ）の上に小屋梁８が設置されているので、当該天井梁５ａ（５ｂ）と小屋梁８とが上下に積層して重なることになる。そのため、小屋梁８によって、任意の箇所の天井梁５ａ（５ｂ）を重点的に補強することができる。
そして、小屋梁８の上と、当該小屋梁８が設置されていない複数の天井梁５ａ，５ｂのうち任意の天井梁５ａ，５ｂの上に、複数の屋根支持部材６，７が設けられているので、屋根荷重を受けて撓みやすい箇所がある場合には、小屋梁８によって当該箇所を効果的に補強できる。また、補強の必要が無い箇所には小屋梁８を設置しないので、結果的に、建物の構築に係るコストを低減することが可能となる。
さらに、最上階の建物ユニット３の上に、例えば従来の小屋パネルを設置するよりも、小屋梁８を設置した方が、傾斜屋根１の傾斜角度が同じ設定である場合には、当該傾斜屋根１の高さを抑えやすくなるという利点もあるので好ましい。
また、小屋梁８は、屋根支持部材６，７の下端部を受けて、当該屋根支持部材６，７の下端部が固定される被固定部８１，８２，８３を備えるので、屋根支持部材６，７を、小屋梁８上に確実に固定することができる。
【０００９】
請求項２に記載の発明は、例えば図１〜図４に示すように、請求項１に記載の屋根１の支持構造において、
前記被固定部８１は、
前記小屋梁８の端部における内側面に接合され、前記梁状部８１ａと共に前記被固定部８１の壁部と底部とを構成する壁状部８１ｂを含んで構成されていることを特徴とする。
【００１０】
請求項３に記載の発明は、例えば図３，図４に示すように、請求項２に記載の屋根１の支持構造において、
前記被固定部８１は、
前記梁状部８１ａの底部と前記壁状部８１ｂの底部とに跨って配置されるとともに前記梁状部８１ａの底部と前記壁状部８１ｂの底部とを接合する接合部８１ｅと、
前記小屋梁８の端部の縁と、前記梁状部８１ａの縁と、前記壁状部８１ｂの縁と、前記エンドプレート８１ｃの縁とによって形成された開口部８１ｆと、を含んで構成されており、
前記接合部８１ｅと前記壁状部８１ｂの底部には、これらを貫通する貫通孔８１ｇが形成されていることを特徴とする。
【００１１】
請求項４に記載の発明は、例えば図３，図４に示すように、請求項２又は３に記載の屋根１の支持構造において、
前記被固定部８１は、
前記壁状部８１ｂの側面に固定され、上面が、前記屋根支持部材６の下端部を受ける受けアングル８１ｄを含んで構成されていることを特徴とする。
【００１３】
請求項５に記載の発明は、例えば図１〜図６に示すように、請求項１〜４のいずれか一項に記載の屋根１の支持構造において、
前記傾斜屋根１の小屋裏空間９の周囲には外壁材１０，１１が設けられており、
前記小屋裏空間９の周囲に設けられる前記外壁材１０，１１のうち、前記小屋裏空間９下方の前記最上階の建物ユニット３に対する荷重が大きい外壁材１０は、前記下方の最上階の建物ユニット３における複数の天井梁５ａ，５ｂのうち、前記荷重が大きい外壁材１０の下方に位置する天井梁５ａ（５ｂ）の上に設置された前記小屋梁８と、当該小屋梁８の上に設けられた前記屋根支持部材６，７によって保持されていることを特徴とする。
【００１４】
請求項５に記載の発明によれば、荷重が大きい外壁材１０は、当該荷重が大きい外壁材１０の下方に位置する天井梁５ａ（５ｂ）の上に設置された小屋梁８と、当該小屋梁８の上に設けられた屋根支持部材６，７によって保持されているので、小屋梁８によって補強された箇所で外壁材１０の荷重を負担することができる。すなわち、荷重の大きい外壁材１０が設けられる補強の必要な箇所を小屋梁８によって効果的に補強できるとともに、補強の必要が無い箇所には小屋梁８を設置せずに、建物の構築に係るコストを低減することが可能となる。
【００１５】
請求項６に記載の発明は、例えば図１，図２，図５に示すように、請求項５に記載の屋根１の支持構造において、
前記屋根１は、片流れ屋根であり、
前記片流れ屋根１の小屋裏空間９の周囲に設けられる外壁材１０，１１のうち、前記下方の最上階の建物ユニット３に対する荷重が大きい外壁材１０は、前記片流れ屋根１の傾斜方向の上端部側に配置されていることを特徴とする。
【００１６】
請求項６に記載の発明によれば、片流れ屋根１の小屋裏空間９の周囲に設けられる外壁材１０，１１のうち、下方の最上階の建物ユニット３に対する荷重が大きい外壁材１０は、片流れ屋根１の傾斜方向の上端部側に配置されているので、当該荷重が大きい外壁材１０の下方に位置する天井梁５ａ（５ｂ）の上に小屋梁８を設置すれば、片流れ屋根１を効果的に補強できる。
【発明の効果】
【００１７】
本発明によれば、最上階建物ユニットの天井梁のうち、撓みの生じやすい箇所を効果的に補強でき、建物の構築に係るコストを低減することができる。
【図面の簡単な説明】
【００１８】
【図１】片流れ屋根における屋根の支持構造を説明する図である。
【図２】屋根支持部材の設置方法を説明する図である。
【図３】小屋梁の被固定部を示す図である。
【図４】被固定部の一つを示す図である。
【図５】鉛直ブレースの配置を示す図である。
【図６】片流れ屋根の下方に差し掛け屋根を設けた場合における屋根の支持構造を説明する図である。
【発明を実施するための形態】
【００１９】
以下、図面を参照して本発明の実施の形態について説明する。
図１において符号１は、傾斜屋根（勾配屋根）を示す。本実施の形態の屋根１は片流れ屋根であり、建物本体２の上に支持されている。
片流れ屋根１は、縦横の枠材によって構成される枠体１ａと、当該枠体１ａの上面に貼設される面材１ｂと、を備える。また、面材１ｂ上には屋根仕上げ材が適宜設けられる。また、片流れ屋根１には、その他にも、棟用の仕上げ部材や樋部材、軒天井材等の装備品が適宜設けられる。
建物本体２は、略直方体フレーム状に形成された金属製（鋼製）の建物ユニット３を上下・前後・左右に複数組み合わせて構成されている。
すなわち、片流れ屋根１と建物本体２とによってユニット式建物を構築することができ、本実施の形態のユニット式建物は複数階建てとされている。ただし、これに限られるものではなく、平屋のユニット式建物であってもよい。
また、片流れ屋根１と建物本体２との間は、小屋裏空間９とされている。
【００２０】
建物本体２の周囲には外壁材２ａが取り付けられている。
本実施の形態の外壁材２ａとしては、例えばＡＬＣ（Autoclaved Lightweight Concrete）パネル等のように、厚みがあって重量はあるものの、耐久性や断熱性に優れたものが用いられている。また、当該外壁材２ａは、その上下端部が建物ユニット３に取り付けられている。
【００２１】
建物ユニット３は、四隅の柱４と、四隅の柱４の上端部同士を連結する複数の天井梁５ａ，５ｂと、四隅の柱４の下端部同士を連結する複数の床梁と、を備える。
建物ユニット３は略直方体フレーム状に形成されているため、天井梁としては、長辺天井梁５ａと短辺天井梁５ｂとがあり、床梁としては、長辺床梁と短辺床梁とがある。また、柱４の上下端部には柱梁接合部材４ａ（ダイヤフラムともいう）が一体的に設けられており、柱４と天井梁５ａ，５ｂ同士、柱４と床梁同士は、当該柱梁接合部材４ａを介して接合されている。
さらに、長辺天井梁５ａ，５ａ間には、短辺天井梁５ｂと平行する中間梁５ｃが適宜設けられ、建物ユニット３の天井枠（長辺天井梁５ａと短辺天井梁５ｂからなる矩形枠）を補強している。なお、本実施の形態では、長辺天井梁５ａ，５ａの長さ方向中央付近の二箇所のそれぞれに、中間梁５ｃが架け渡されて設けられている。
【００２２】
片流れ屋根１は、複数の建物ユニット３で構成された建物本体２の上に、複数の屋根支持部材６，７を介して支持されている。
当該屋根支持部材としては、屋根束６と、支持部材７とが用いられている。
屋根束６は、図４（ｂ）に示すように、ベースプレート６ａと、当該ベースプレート６ａに一体的に設けられる支柱６ｂと、当該支柱６ｂの上端部に一体的に設けられるとともに、上面が片流れ屋根１の傾斜に対応して傾斜し、当該片流れ屋根１の下面（枠体１ａの下面）を受ける受部６ｃと、を有する。
図１に示す支持部材７は、ベースプレートと、当該ベースプレートに一体的に設けられ、かつ上面が片流れ屋根１の傾斜に対応して傾斜し、当該片流れ屋根１の下面（枠体１ａの下面）を受ける受部と、を有する。
本実施の形態においては、屋根束６は、片流れ屋根１の傾斜に対応して支柱６ｂの長さの異なるものが複数用いられている。支持部材７は、屋根束６よりも片流れ屋根１の傾斜方向下端部側に設けられている。
【００２３】
建物本体２を構成する最上階の建物ユニット３における複数の天井梁５ａ，５ｂのうち、任意の天井梁５ａ（５ｂ）の上に小屋梁８が設置されている。
小屋梁８は、天井梁５ａ，５ｂを補強するために、当該天井梁５ａ，５ｂの上に設置固定されるものである。また、小屋梁８としては天井梁５ａ，５ｂと同様の金属製の梁が用いられている。本実施の形態では、例えば溝形鋼やリップ溝形鋼等の長尺な鋼材が採用されている。
そして、このように小屋梁８を天井梁５ａ（５ｂ）の上に設置すれば、天井梁５ａ（５ｂ）と小屋梁８とが上下に積層して重なることになり、そのため、小屋梁８によって、天井梁５ａ（５ｂ）を重点的に補強することができる。すなわち、二本の鋼材を上下に積層させることによって一本化すれば、厚さが単独（天井梁だけ、または小屋梁８だけ）の場合よりも倍になるので、上下方向にかかる荷重に対して極めて高い強度を発揮することになる。
なお、当該小屋梁８は、あくまで一本の梁（横材）であり、基本的に一本単位で天井梁５ａ，５ｂの補強のために用いられるものとする。
【００２４】
なお、本実施の形態において、小屋梁８は、図１，図２に示すように、長辺天井梁５ａの上に設置されている。
より詳細には、小屋梁８は、図２，図５に示すように、隣り合う建物ユニット３，３の長辺天井梁５ａ，５ａのそれぞれの上に設置されている。
【００２５】
また、小屋梁８が設置される任意の天井梁５ａ，５ｂとは、屋根荷重によって撓みの生じやすい天井梁５ａ，５ｂを指している。
撓みが生じやすくなる原因としては様々な例が挙げられる。
例えば、建物ユニット３は上述のように略直方体フレーム状に形成されているため、短辺天井梁５ｂよりも長辺天井梁５ａの方が、撓みが生じやすい。
また、最上階における居住空間拡張のために隣り合う複数の建物ユニット３の隣り合う柱４を省略し、その上方に位置する天井梁５ａ，５ｂ同士の集合部分に屋根束６が設置されると、当該屋根束６が設置された箇所に撓みが生じやすい。
また、屋根１の形態に応じて屋根荷重だけでなく、外壁荷重も負担しなければならない場合は、外壁荷重がかかる部分の天井梁５ａ，５ｂに撓みが生じやすい。
例えば以上のような箇所に設けられた天井梁５ａ，５ｂの補強のために、小屋梁８が設けられるものとする。
なお、本実施の形態の小屋梁８は、自身が設置される天井梁５ａ，５ｂと同形状・同サイズ（長さ・厚み等）に設定されているものとするが、必要に応じて形状やサイズの異なるものを用いてもよい。また、小屋梁８は、複数の天井梁５ａ，５ａ（５ｂ，５ｂ）に跨って設けられてもよい。
【００２６】
屋根束６のベースプレート６ａおよび支持部材７のベースプレートは、その設置安定性を高めるために、支柱６ｂや受部６ｃに対して広い面積に設定されている。これに対応して、上面がやや幅狭に設定されている小屋梁８は、屋根束６および支持部材７の下端部（各ベースプレート）を受けて、当該屋根束６および支持部材７の下端部が固定される被固定部８１，８２，８３を備える。
すなわち、屋根束６および支持部材７は、このように小屋梁８が被固定部８１，８２，８３を備えることで、当該小屋梁８に対して確実に取り付けられることになる。
【００２７】
被固定部８１，８２，８３は、当該被固定部８１，８２，８３を構成する各部品が小屋梁８に対して一体的に設けられることで構成されている。そして、小屋梁８自体や前記各部品に対して、屋根束６および支持部材７の各ベースプレートをボルト結合するためのボルト孔Ａが形成され、ボルト孔Ａの裏側にナットが溶接された状態に概略構成されている。
【００２８】
より詳細に説明すると、被固定部８１は、図２（ｂ），図３（ａ），図４に示すように、小屋梁８のうち建物本体２のコーナー部に位置する箇所に設けられている。
当該被固定部８１は、小屋梁８の端部と、短辺側梁状部８１ａと、壁状部８１ｂと、エンドプレート８１ｃと、受けアングル８１ｄと、接合部８１ｅと、開口部８１ｆと、によって構成されている。
【００２９】
短辺側梁状部８１ａは、小屋梁８と同断面の鋼材からなる短尺材であり、小屋梁８と直交する方向に設けられ、被固定部８１の壁部と底部とを構成する。当該短辺側梁状部８１ａと小屋梁８の端部は、平面視略Ｌ字状になるように接合されている。
【００３０】
壁状部８１ｂは、小屋梁８の内側面に接合されたアングル材であり、短辺側梁状部８１ａと共に被固定部８１の壁部と底部とを構成する。
【００３１】
エンドプレート８１ｃは、短辺側梁状部８１ａの端部と、壁状部８１ｂの端部とに対して接合されており、後述する短辺側壁受フレーム１２が連結される。
当該エンドプレート８１ｃにはボルト孔が形成され、さらにその裏側にナットが固定されており、短辺側壁受フレーム１２をボルト連結できるようになっている。
【００３２】
受けアングル８１ｄは、壁状部８１ｂの側面に固定され、上面が、屋根束６のベースプレート６ａの一部を受ける部分となっている。
【００３３】
接合部８１ｅは、短辺側梁状部８１ａの底部と、壁状部８１ｂの底部とに跨って配置されるとともに、これらを接合している。
また、図３（ａ）に示すように、接合部８１ｅと壁状部８１ｂの底部（および後述する柱頭プレート８４，８５）には、これらを貫通する貫通孔８１ｇが形成されており、当該貫通孔８１ｇは、小屋梁８と下方の建物ユニット３（天井梁５ａ，５ｂ、柱梁接合部材４ａ）との接合に用いられている。
すなわち、例えば、柱梁接合部材４ａの上面に突設された接合ピン（図示せず）を貫通孔８１ｇに挿入したり、図示しない連結ボルトを貫通孔８１ｇに挿入して、接合部８１ｅの位置で被固定部８１と柱梁接合部材４ａとを連結したりすることができる。
【００３４】
開口部８１ｆは、小屋梁８の端部の縁と、短辺側梁状部８１ａの縁と、壁状部８１ｂの縁と、エンドプレート８１ｃの縁とによって形成されている。
当該開口部８１ｆが形成されることによって、上述のように貫通孔８１ｇを利用して小屋梁８と下方の建物ユニット３との接合作業を行う際や、エンドプレート８１ｃに対して短辺側壁受フレーム１２を固定する際などに、被固定部８１の内部に、作業員の手や工具を差し入れることができる。
【００３５】
そして、被固定部８１において前記ボルト孔Ａが形成されるのは、図３（ａ）に示すように、小屋梁８の端部の二箇所と、短辺側梁状部８１ａの一箇所と、受けアングル８１ｄの一箇所である。これらボルト孔Ａが形成された箇所の裏側にはナットが溶接されている。
【００３６】
被固定部８２は、図２（ｂ），図３（ｂ）に示すように、中間梁５ｃの位置に対応して設けられている。
当該被固定部８２は、小屋梁８と、屋根束６（または支持部材７）のベースプレート６ａを受ける受部８２ａと、によって構成されている。
そして、被固定部８２において前記ボルト孔Ａが形成されるのは、図３（ｂ）に示すように、小屋梁８の二箇所と、受部８２ａの二箇所である。これらボルト孔Ａが形成された箇所の裏側にはナットが溶接されている。
【００３７】
被固定部８３は、図２（ｂ），図３（ｃ）に示すように、建物ユニット３の隅角部であって、かつ複数の建物ユニット３同士が隣り合う箇所に設けられている。そして、屋根束６（または支持部材７）は、図２（ｃ）に示すように、隣り合う建物ユニット３，３に跨って設けられている。すなわち、被固定部８３は、隣り合う建物ユニット３，３の長辺天井梁５ａ，５ａのそれぞれの上に設置された、隣り合う小屋梁８，８同士における互いに近接する端部同士に設けられることになる。
【００３８】
また、被固定部８３は、小屋梁８の端部と、短辺側梁状部８３ａと、壁状部８３ｂと、エンドプレート８３ｃと、接合部８３ｅと、開口部８３ｆと、によって構成されている。また、図３（ｃ）に示すように、接合部８３ｅと壁状部８３ｂの底部には、これらを貫通する貫通孔８３ｇが形成されている。
すなわち、被固定部８３の構成要素は、被固定部８１の構成要素と同様のものが採用されている（受けアングル８１ｄを除く）。エンドプレート８３ｃには、エンドプレート８１ｃとは異なり、短辺側壁受フレーム１２が固定されないため、被固定部８３の補強のために機能する。
また、当該被固定部８３に対して、同じ小屋梁８の被固定部８１と、隣り合う小屋梁８における被固定部８３は、左右対称に形成される。
そして、被固定部８３において前記ボルト孔Ａが形成されるのは、図３（ｃ）に示すように、小屋梁８の端部の一箇所と、短辺側梁状部８１ａの一箇所である。また、隣り合う小屋梁８における被固定部８３には、その対称の位置に前記ボルト孔Ａが形成されている。これらボルト孔Ａが形成された箇所の裏側にはナットが溶接されている。
【００３９】
また、以上のような小屋梁８の上と、当該小屋梁８が設置されていない複数の天井梁５ａ，５ｂのうち任意の天井梁５ａ，５ｂの上に、複数の屋根支持部材６，７が設けられている。
すなわち、被固定部８１，８２，８３に対して、屋根支持部材である屋根束６（または支持部材７）のベースプレート６ａが固定されている。
【００４０】
なお、小屋梁８は、図２（ａ）に示すように、柱頭プレート８４，８５（シアプレートともいう）を介して天井梁５ａの上に設置されている。
柱頭プレート８５は、隣り合う建物ユニット３，３における隣り合う柱梁接合部材４ａ，４ａに跨って設置されている。そして、柱頭プレート８５を、双方の柱梁接合部材４ａ，４ａに突設された前記接合ピン（または前記連結ボルト）が貫通することによって、当該双方の柱梁接合部材４ａ，４ａを連結している。
柱頭プレート８４は、建物ユニット３のうち柱頭プレート８５が設けられた箇所とは反対側の柱梁接合部材４ａ上に設けられており、柱頭プレート８５が設けられた分の高さ調整のために用いられている。
【００４１】
小屋裏空間９の周囲には、建物本体２と同様に、外壁材１０，１１が設けられている。
外壁材１０は、片流れ屋根１の傾斜方向の上端部側に配置されており、矩形状に形成されている。また、外壁材１０は、隣り合う建物ユニット３，３の双方に対応して配置されている。なお、当該外壁材１０は、複数枚の矩形状の外壁材が並べて配置されたものであってもよい。
外壁材１１は、外壁材１０と直交し、かつ片流れ屋根１の傾斜方向と直交する方向の両側に配置されるものであり、屋根形状に対応して直角三角形状に形成されている。なお、当該外壁材１１は、複数枚の外壁材（台形状・直角三角形状）が並べて配置されたものであってもよい。
なお、外壁材１０は、小屋裏空間９下方の最上階の建物ユニット３に対する荷重が、一方の外壁材１１よりも大きいものとなっている。すなわち、外壁材１０，１１は、同材料・同厚さに設定されており、面積は、外壁材１１よりも外壁材１０の方が大きく設定されている。したがって、外壁材１０は、外壁材１１よりも荷重が大きいものとなっている。
【００４２】
外壁材１０は、当該外壁材１０の下方に位置する長辺天井梁５ａの上に設置された小屋梁８と、当該小屋梁８の上に設けられた複数の屋根束６とによって保持されている。
すなわち、外壁材１０は、下端部が小屋梁８に対して取り付けられており、上端部が屋根束６の上端部に対して取り付けられている。より詳細に説明すると、複数の屋根束６の上端部間には、長辺側壁受フレーム１５が架け渡されて設けられている。そして、当該長辺側壁受フレーム１５と外壁材１０の上端部との間、小屋梁８と外壁材１０の下端部との間のそれぞれには、複数の取付ブラケット（図示せず）が介在しており、当該複数の取付ブラケットによって外壁材１０を保持している。
長辺側壁受フレーム１５は、金属製であり、図示はしないが、屋根束６の上端部に対して溶接等により接合されているものとする。また、屋根束６との間に、図示しないブラケット等を介在させることによって外方に突出した位置に設けられていてもよい。
【００４３】
外壁材１１は、図１に示す短辺側壁受フレーム１２によって、小屋裏空間９の両側に保持されている。
短辺側壁受フレーム１２は、片流れ屋根１の傾斜に沿って、複数の屋根束６の上端部に設けられる上辺部１２ａと、複数の最上階の建物ユニット３に沿って水平に設けられる下辺部１２ｂと、上辺部１２ａおよび下辺部１２ｂに沿って、かつ間隔を空けて固定された複数の取付ブラケット１２ｃと、を有する。
そして、外壁材１１は、その上端部が上辺部１２ａに固定された複数の取付ブラケット１２ｃに取り付けられており、下端部が下辺部１２ｂに固定された複数の取付ブラケット１２ｃに取り付けられている。
【００４４】
なお、下辺部１２ｂは、図４（ｂ）に示すように、その小屋梁８側端面が、被固定部８１のエンドプレート８１ｃに当接されて、ボルトによって連結されている。
また、下辺部１２ｂは、本実施の形態においては隣り合う複数の建物ユニット３の、隣り合う短辺天井梁５ｂに沿って設けられている。また、当該隣り合う短辺天井梁５ｂと下辺部１２ｂとの間には隙間１３が形成されている。当該隙間１３には、屋根束６および支持部材７のベースプレート６ａや、短辺方向に隣り合う建物ユニット３，３の柱梁接合部材４ａ，４ａ同士を連結する柱頭プレートが配置されるため、各プレートの厚みが考慮された分の寸法に設定されている。
【００４５】
また、複数の屋根束６，６間には、図１，図５に示すように、屋根束６同士を連結するための鉛直ブレース１４が架け渡されている。
すなわち、図５に示すように、本実施の形態における建物本体２の最上階は、六つの建物ユニット３によって構成されている。そして、鉛直ブレース１４は、建物ユニット３の外周や、隣り合う建物ユニット３，３間に沿って設けられている。
より具体的には、図５（ａ）において双方向矢印で示すラインＬ１〜Ｌ６上に鉛直ブレース１４が配置されている。
ラインＬ１〜Ｌ３に配置される鉛直ブレース１４は、図５（ｂ）〜図５（ｄ）に示すように、隣り合う屋根束６，６間に交差して設けられている。
ラインＬ４〜Ｌ６に配置される鉛直ブレース１４は、図１に示すように、高さの違う小屋梁８の上に設けられた屋根束６と、当該屋根束６に隣り合う屋根束６との間に交差して設けられている。
【００４６】
本実施の形態によれば、最上階の建物ユニット３における複数の天井梁５ａ，５ｂのうち、任意の天井梁５ａ（５ｂ）の上に小屋梁８が設置されているので、当該天井梁５ａ（５ｂ）と小屋梁８とが上下に積層して重なることになる。そのため、小屋梁８によって、任意の箇所の天井梁５ａ（５ｂ）を重点的に補強することができる。
そして、小屋梁８の上と、当該小屋梁８が設置されていない複数の天井梁５ａ，５ｂのうち任意の天井梁５ａ，５ｂの上に、複数の屋根支持部材６，７が設けられているので、屋根荷重を受けて撓みやすい箇所がある場合には、小屋梁８によって当該箇所を効果的に補強できる。また、補強の必要が無い箇所には小屋梁８を設置しないので、結果的に、建物の構築に係るコストを低減することが可能となる。
【００４７】
さらに、最上階の建物ユニット３の上に、例えば従来の小屋パネルを設置するよりも、小屋梁８を設置した方が、傾斜屋根１の傾斜角度が同じ設定である場合には、当該傾斜屋根１の高さを抑えやすくなるという利点もあるので好ましい。
すなわち、支持部材７の高さは、小屋パネルを採用する場合も、本実施の形態の小屋梁８を採用する場合も変わりないものである。また、傾斜屋根１の傾斜角度も同じ設定であるため、小屋パネルを採用した場合には支持部材７が小屋パネルの上に設置されることになる。一方、小屋梁８を採用した場合には支持部材７が最上階の建物ユニット３の上に設置される。そのため、小屋パネルを採用した場合と、小屋梁８を採用した場合とでは、支持部材７が設置される高さ位置の差の分だけ、傾斜屋根１の高さが異なるものとする。したがって、小屋パネルを採用する場合も、本実施の形態の小屋梁８を採用する場合の方が、傾斜屋根１の高さ（建物自体の高さ）を抑えることが可能となっている。
ただし、このような場合、屋根束６の上下の長さは適宜変更されるものとする。
【００４８】
また、小屋梁８は、屋根支持部材６，７の下端部を受けて、当該屋根支持部材６，７の下端部が固定される被固定部８１，８２，８３を備えるので、屋根支持部材６，７を、小屋梁８上に確実に固定することができる。
【００４９】
また、複数の屋根支持部材６，６間に鉛直ブレース１４が架け渡されているので、当該鉛直ブレース１４によって複数の屋根支持部材６，６同士を連結できる。これによって、複数の屋根支持部材６，６同士の水平方向への変形を抑制することができるので、屋根１を効果的に支持することができる。
【００５０】
また、荷重が大きい外壁材１０は、当該荷重が大きい外壁材１０の下方に位置する天井梁５ａ（５ｂ）の上に設置された小屋梁８と、当該小屋梁８の上に設けられた屋根支持部材６，７によって保持されているので、小屋梁８によって補強された箇所で外壁材１０の荷重を負担することができる。すなわち、荷重の大きい外壁材１０が設けられる補強の必要な箇所を小屋梁８によって効果的に補強できるとともに、補強の必要が無い箇所には小屋梁８を設置せずに、建物の構築に係るコストを低減することが可能となる。
【００５１】
また、片流れ屋根１の小屋裏空間９の周囲に設けられる外壁材１０，１１のうち、下方の最上階の建物ユニット３に対する荷重が大きい外壁材１０は、片流れ屋根１の傾斜方向の上端部側に配置されているので、当該荷重が大きい外壁材１０の下方に位置する天井梁５ａ（５ｂ）の上に小屋梁８を設置すれば、片流れ屋根１を効果的に補強できる。
【００５２】
〔変形例１〕
なお、本発明を適用可能な実施の形態は、上述した実施の形態に限定されることなく、本発明の趣旨を逸脱しない範囲で適宜変更可能である。
すなわち、上述した実施形態では傾斜屋根を片流れ屋根１としたが、これに限られるものではなく、他の形態の傾斜屋根に適宜変更可能である。
他の傾斜屋根として例えば寄棟屋根を採用した場合は、大棟の下方やその周囲にある天井梁５ａ，５ｂに屋根荷重が大きくかかることになるため、当該天井梁５ａ，５ｂに対して小屋梁８を適宜設置し、その上に、屋根を支持する屋根束６を設けるようにする。このような形態は、例えば方形屋根やその他の妻壁を有しない屋根の場合にも適用することができる。
また、例えば切妻屋根を採用した場合は、屋根の棟方向両端部に妻壁が設けられるため、その下方に位置する天井梁５ａ，５ｂには屋根荷重と外壁荷重とがかかることになる。そのため、当該天井梁５ａ，５ｂに対して小屋梁８を設置し、その上に、屋根を支持する屋根束６を設けるとともに壁受フレームを設けるようにする。このような形態は、例えば妻壁が現れる形態の屋根の場合にも適用することができる。
【００５３】
図６は、差し掛け屋根２０と片流れ屋根２１とを組み合わせた場合の屋根の例を示しており、当該差し掛け屋根２０は、上方の片流れ屋根２１の下方に設けられている。そして、差し掛け屋根２０と片流れ屋根２１との間には、窓２２ａ付きの外壁材２２が設けられている。
差し掛け屋根２０と片流れ屋根２１は、それぞれ別の最上階の建物ユニット３上に設けられており、さらに、それぞれ別の屋根支持部材６，７によって支持されている。
外壁材２２は、片流れ屋根２１を支持する屋根束６に設けられた壁受フレームに取り付けられている。そして、外壁材２２の下方に位置する天井梁５ａには、屋根荷重と外壁荷重とがかかることになる。そのため、外壁材２２の下方に位置する天井梁５ａの上には小屋梁８が設置されている。なお、図６に示す小屋梁８は、屋根束６のベースプレート６ａを安定的に設置できるように、下面よりも上面の方が広い形状となっている。
また、外壁材２２の下端部と差し掛け屋根２０との間は、防水処理が適宜施されているものとする。
【００５４】
〔変形例２〕
なお、小屋梁８は、撓みの生じやすい箇所を効果的に補強するために、従来の小屋パネルに代わって用いられるものであるが、例えば小屋裏空間９に小屋裏収納を設ける場合などには、小屋梁８と併せて、小屋パネルを利用してもよい。
すなわち、小屋裏収納を設ける場合は、床（図示せず）を小屋裏空間９に設置する必要がある。そして、床上には、様々な物品が収納されることになるため、最上階の建物ユニット３の複数の天井梁５ａ，５ｂの補強が必要となる。そこで、床を設置するための支持体として、最上階の建物ユニット３の複数の天井梁５ａ，５ｂの上に小屋パネルを設置してもよいものとする。
【符号の説明】
【００５５】
１  片流れ屋根
２  建物本体
３  建物ユニット
５ａ  長辺天井梁
５ｂ  短辺天井梁
６  屋根束
７  支持部材
８  小屋梁
１０  外壁材
【図１】
0006411811.tif 000002
【図２】
0006411811.tif 000003
【図３】
0006411811.tif 000004
【図４】
0006411811.tif 000005
【図５】
0006411811.tif 000006
【図６】
0006411811.tif 000007